(57)【要約】ボールの打ち出し方向の決定が簡単で、安定性に優れたパターを提供する。パター１０をトウ１２ｃ側から見た際に、ヘッド１２はグリップ１６から鉛直方向に下ろした線よりストローク方向に位置するようシャフト１４のネック１４ａの角度や前記ヘッド１２への取付け位置等が設定されている。そして、前記ヘッド１２のフェース１２ａと鉛直線がなすロフト角度は、フェース１２ａが下方（ソール１２ｄ側）に向かうにつれ反ストローク方向に傾斜するよう所要の角度が付されている。このパター１０を用いて、プッシュ打法を行なうことにより、カップインの確率を向上させることができる。
2004078276.tif 000002
【特許請求の範囲】
【請求項１】
シャフト（１４）の下端にヘッド（１２）が固定され、上端にグリップ（１６）を備えたゴルフ用のパター（１０）であって、
前記パター（１０）をアドレスした際に、前記ヘッド（１２）が前記グリップ（１６）よりストローク方向に位置するよう前記シャフト（１４）に該ヘッド（１２）を取付け、
前記ヘッド（１２）のストローク方向に形成されるフェース（１２ａ）に、鉛直線（Ｐ）に対し下方に向かうにつれて反ストローク方向に傾斜する所要のロフト角度（θ）を付した
ことを特徴とするパター。
【請求項２】
前記フェース（１２ａ）と鉛直線（Ｐ）との間に形成されるロフト角度（θ）は、１°〜３°の範囲に設定されている請求項１記載のパター。
【請求項３】
前記ヘッド（１２）のソール（１２ｄ）は、水平面に対しフェース（１２ａ）側からストローク方向と反対に向かうにつれ切れ上がるよう設定されている請求項１または２記載のパター。
【請求項４】
前記ヘッド（１２）は、トップ（１２ｅ）と、前記フェース（１２ａ）の背後に延出するクラウン部（１２ｆ）の上端面とに上下方向の段差を設けて形成され、前記トップ（１２ｅ）のストローク方向に亘って印された第１基準線（２２）と、前記クラウン部（１２ｆ）の上端面に前記第１基準線（２２）の延長線と重なるように印された第２基準線（２４）とを有し、これら第１基準線（２２）および第２基準線（２４）の色を異ならせてある請求項１〜３の何れかに記載のパター。
【発明の詳細な説明】
【技術分野】  この発明は、ゴルフに用いられるクラブの一種であるパターに関し、更に詳細には、パッティングにおいて、ボールがカップインする確率を向上させる所謂プッシュ打法に用いられるパターに関するものである。
【背景技術】  ゴルフ競技において、最終的な目的地であるカップにボールを打ち込むために、パターを用いてパッティングがグリーン上で行なわれる。このパッティングは、ドライバーやアイアンのショットのように大雑把な位置に打てばよいものではなく、必ずカップに入れることが要求される。このパッティングの際に掛かるプレッシャーは、ゴルフをプレーする中で特に大きく、多くのゴルファーを悩ませている。このプレッシャーを少しでも軽減するため、パッティングにおいて少しでもボールの打ち出し方向を決定し易く、ゴルファーの思った方向にボールを安定的に打ち出すことができるパターが求められている。
前記パターを用いたパッティングの構えや打ち方には様々な方法があり、例えば、代表的な打ち方として、ボールを流し込むように打つストロング式やボールを弾くように打つタップ式等の打ち方がある。これらの打ち方は、基本的に図１２（ａ）に示すように、ボールＢをカップＣに入れるために通ることが必要な軌跡（以下、ラインと云う。）とある程度離間した平行な位置に立ち、かつ両足の間の左足より（右利きの場合）にボールＢが位置するようにスタンスをとる。そして、両手でグリップ１６を握ったパター１０を、自然な状態で該ボールＢの後方（ストロークと反対方向）にヘッド１２が位置するよう構える、所謂アドレスをとる（図１１参照）。その後、前記ヘッド１２をストローク方向と反対側にテイクバックして、あご等の体の一部を中心として振り子のように手首を固定してスイングすることで、カップＣまたは該カップＣとボールＢの間に定めたスパットＳにめがけて該ボールＢを打つことは前記２つの打ち方に共通している。前記スパットＳとは、ライン上に位置して、例えばカップＣ側のつま先の前に設けるゴルファーが想定した芝目等の目印である。ボールＢを打つ際のゴルファーの視線Ｉは、図１１に示すように、ボールＢを見ている。この時、カップＣと非常に近いショートパットの場合を除いて、視界にカップＣが入ることはなく、顔を上げて該カップＣの位置を見て打ち出す方向を確認する必要がある。しかし、前記スパットＳは、ゴルファーがアドレスした際に該スパットＳが視界に入ることで、顔を上げてカップＣを見て打つべき方向を確認する手間を省くと共に、ボールＢを打つ際にカップＣを見てしまうことで起こるヘッドアップによるスイングの乱れを防止することができる。
そして、前記パターの形状や構造等は、前述した打ち方に合わせて様々な種類がある。図９に示すように、前記パター１０は、上端にゴルファーの握り部分であるグリップ１６が設けられたシャフト１４と、該シャフト１４の下端に固定されたヘッド１２とから基本的に構成される点は大体同じである。前記ヘッド１２は、ボールを打つ側面をフェース１２ａ、このフェース１２ａを挟んで対向するゴルファー側の側面をヒール１２ｂ、他方の側面をトウ１２ｃ、地面と対向する下端面をソール１２ｄ、上端面をトップ１２ｅと云う。一般的に前記フェース１２ａは、ゴルファーがパター１０をアドレスした姿をトウ１２ｃ側から見た際に、鉛直線Ｐに対し該フェース１２ａが上方に向かうにつれ少し開放する、すなわちフェース１２ａがストローク方向と反対側に傾斜するロフト角度（プラスの角度）θが付されている。従って、図１０に示すように、前記フェース１２ａとボールＢがインパクトした際に、フェース１２ａのスイートスポット（ヘッドの荷重等のバランスを調整して、ボールに力を一番うまく伝達できるよう設定したフェース１２ａの領域を云う。）が、該ボールＢに対して１°〜３°程度の角度で傾斜した状態で当たるようになっている。このように、前記フェース１２ａにロフト角度θを付与することで、ボールＢにはインパクトの際に回転力が加えられ、転がりが良くなる。
前記ヘッド１２とグリップ１６の位置関係は、シャフト１４のヘッド１２への接続部分であるネック１４ａの角度、若しくは取付け位置を調整することにより様々な変化が付けられている。一般的に、アドレスしたパター１０をフェース１２ａ側から見た際に、水平線に対しシャフト１４のなすライ角度φは、垂直、若しくはゴルファー側に傾けられて設けられる（図９（ａ）参照）。また、両足の略中央部にボールＢを置き、このボールＢをテイクバックしたパター１０で打つ従来の方法では、前記ヘッド１２の位置がグリップ１６の鉛直下よりストローク方向と反対に位置する、所謂グースネック型のシャフト１４が一般的に用いられている（図９（ｂ）参照）。すなわち、パター１０は、グリップ１６がヘッド１２よりストローク方向に設けられているので、該グリップ１６にリードされるよう該ヘッド１２が遅れてスイングされる。従って、前記パター１０は、ボールＢの置かれた両足の略中央部で、フェース１２ａのスイートスポットが該ボールＢに対し、適切なロフト角度θで当たるよう設計されている。
また、別の打ち方として、体の前ではなくカップ側にボールを置くようスタンスをとり、テイクバックしたパターでボールを後方から撞くように打つ打ち方がある。この打ち方は、ボールが体の正面よりカップ側に位置するため、方向を定める際にボールを後方から見ることができるので、ラインを定め易く、ボールの打ち出し方向のミスを防ぐことができる。この打ち方を有効に行なうために、ヘッドのソールを下端にしてフェース面を含む面を垂直面とした場合に、該フェース面の裏面側に１０°以上の角度でシャフトを取付けたパターが提案されている（例えば、特開平５−３０５１５９号公報参照。）。
【発明が解決しようとする課題】
パッティングにおいてボールがカップを外れる原因となるのは、前述の特開平５−３０５１５９号公報に記載の打ち方および従来の打ち方に共通して、ボールを打つためにストローク方向と反対側にヘッド１２を引くテイクバックを行なうことに大きく起因する。図１２（ａ）に示すように、ラインを延長した線に沿ってヘッド１２をテイクバックして振ると、ボールＢとフェース１２ａのトウ１２ｂからヒール１２ｃへ水平に結ぶ水平線はボールＢに直交してインパクトし、ボールＢは正しい方向へ打ち出される。しかし、ゴルファーはパッティングにおける過度のプレッシャーの中で自己の感覚に基づいて（すなわちテイクバックをする方向に関して明確な基準が無い。）テイクバックを行なっているので、前記ヘッド１２のテイクバックを間違った方向、例えばゴルファーの体側にテイクバックしてしまうことがあり、ボールを押し出す方向に打ってしまう、所謂プッシュや、体から離れた方向にテイクバックすることによりボールを引っ掛けてしまう、カット打ち等を起こしてしまう（図１２（ｂ）参照）。また、前記パター１０のスイングは、手首のリードに基づいて行なわれているため、スイング距離が長くなり、軌道のズレやぶれが起き易く、ボールのインパクトの際に、フェース１２ａの水平線とラインが直交しないため、打ち出し方向が定まらない問題も指摘される。
更に、従来の打ち方においては、ボールＢを視野に入れつつ、打ち出し方向の指標としてのスパットＳを意識に入れてストロークする必要がある。これは、プレッシャーを与える一因となり、益々ゴルファーを不安にさせてしまう弊害がある。そして、ゴルファーはラインに対し平行にスタンスをとる必要があるが、グリーン上では外景に惑わされてしまう場合があり、ラインと正対することが困難である。
発明の目的
この発明は、従来の技術に係るパターに内在していた問題に鑑み、これを好適に解決するべく提案されたものであって、所謂プッシュ打法に用いられ、ボールの打ち出し方向を決め易く、またパッティングの安定性に優れ、ゴルファーのプレッシャーを軽減すると共に、パッティングにおけるボールのカップインの確率を向上させるパターを提供することを目的とする。
【課題を解決するための手段】
前記課題を克服し、所期の目的を達成するため本発明に係るパターは、
シャフトの下端にヘッドが固定され、上端にグリップを備えたゴルフ用のパターであって、
前記パターをアドレスした際に、前記ヘッドが前記グリップよりストローク方向に位置するよう前記シャフトに該ヘッドを取付け、
前記ヘッドのストローク方向に形成されるフェースに、鉛直線に対し下方に向かうにつれ反ストローク方向に傾斜する所要のロフト角度を付したことを特徴とする。
【図面の簡単な説明】  図１は、本発明の好適な実施例に係るパターを示すものであって、（ａ）は正面図、（ｂ）は側面図である。
図２は、実施例に係るパターを示す平面図である。
図３は、実施例に係るパターの要部を示す概略斜視図である。
図４は、実施例に係るパターのアドレス状況を示す側面図である。
図５は、実施例に係るパターのアドレス状況を示す平面図である。
図６は、実施例に係るパターのヘッドのストローク状況であって、（ａ）はアドレス時を示し、（ｂ）はボールのインパクト時を示す側面図である。
図７は、変更例に係るパターを示す平面図である。
図８は、変更例に係るパターを示す要部概略斜視図である。
図９は、従来の技術に係るパターを示すものであって、（ａ）は正面図、（ｂ）は側面図である。
図１０は、従来例に係るパターのヘッドのストローク状況を拡大した（ａ）はテイクバック時を示し、（ｂ）はアドレスおよびボールのインパクト時を示す側面図である。
図１１は、従来例に係るパターのアドレス状況を示す側面図である。
図１２は、従来例に係るパターのアドレス状況を示す平面図で、（ａ）は正しいテイクバックの場合を示し、（ｂ）は誤ったテイクバックをした場合を示す。
図１３は、従来例に係るパターでプッシュ打法を行なった場合において、ヘッドのストローク状況を拡大した（ａ）はアドレス時を示し、（ｂ）はボールのインパクト時を示す側面図である。
【発明を実施するための最良の形態】  次に本発明の好適な実施例に係るパターにつき、添付した図面を参照して以下説明する。なお、パター自体を構成する部材は、図９を参照して説明した従来のパターと基本的に同一であるので、既出の部材については、同じ参照符号を使用し、その詳細な説明は省略する。なお、後述するパターの各部材の角度や位置関係は、図４に示すように、ボールＢに対しゴルファーがスタンスをとり、パター１０をラインと該パター１０の水平線（ヒール１２ｂからトウ１２ｃを結んだ水平面と平行な線）が直交するよう体の正面で自然に構えたアドレスの状態を基準とする。また、ストローク方向とは、ボールＢの打ち出す方向を云い、この場合はライン上をボールＢがカップＣに向かって進む方向である。
図１（ｂ）に示すように、実施例に係るパター１０は、トウ１２ｃ側から見た際に、ヘッド１２がグリップ１６よりストローク方向に位置するようネック１４ａの角度や取付け位置等が調整されて形成されている。すなわち、従来のグースネック型シャフト１４のパター１０におけるヘッド１２とグリップ１６との位置関係が、実施例に係るパター１０ではストローク方向で逆になっている。図１に示すように、前記ヘッド１２の上端面であるトップ１２ｅのヒール１２ｂ側の端部に接続されるシャフト１４のネック１４ａは、該トップ１２ｅから略鉛直に上方へ延出した後、ストローク方向と反対に向かって所要角度で折曲され、このネック１４ａから略鉛直上方に延在するよう折曲されたシャフト１４本体は、ヒール１２ｂ側へ傾斜するよう延長して、グリップ１６に到るよう２段階に折曲されている。また、トウ１２ｃ側から見た際に、前記シャフト１４と鉛直線がなす角度は、ストローク方向と反対に向かって若干傾斜して角度が付けられている。そして、ライ角度φは、ゴルファー側に傾斜して設けられている。前記ヘッド１２とグリップ１６の位置関係で重要なのは、アドレスした際に、グリップ１６の鉛直線よりヘッド１２がストローク方向に偏在して設けることが必要であり、前記シャフト１４が前記グリップ１６の位置に到るまでの傾斜角度、折曲位置や該シャフト１４がヘッド１２へ取付けられる位置等は特に限定されず、ゴルファーが使用し易いよう調整することが可能である。
図２または図３に示すように、実施例に係るパター１０のヘッド１２は、フェース１２ａの後背部分をストローク方向と反対に延出するよう膨らませたクラウン部１２ｆを備えた、所謂マレット型に形成されている。そして、前記ヘッド１２のフェース１２ａと鉛直線Ｐがなすロフト角度θは、フェース１２ａが下方（ソール１２ｄ側）に向かうにつれ開放する所要の角度θ（マイナスの角度）に設定されている。言い換えると、前記フェース１２ａは、トップ１２ｅからソール１２ｄに向かって切れ込んだ形状、すなわち、該フェース１２ａの上端辺を中心にして、ストローク方向と反対に傾斜するよう設定されている。前記ロフト角度θは、鉛直線Ｐに対し１°〜３°の範囲に設定される。このロフト角度θが１°より小さいと、フェース１２ａがボールＢとインパクトした際に、ボールＢに対し下方に向かって力を与えてしまうことになり、このボールＢに適切な方向の力を加えられずボールＢの転がりが悪くなってしまう。また、前記ロフト角度θが３°より大きいと、フェース１２ａがボールＢとインパクトした際に、ロフト角度θがきつくなり過ぎてスイートスポットを外れ、フェース１２ａの下部に当たってしまう虞がある。前記ヘッド１２のフェース１２ａにおいて、ロフト角度θ以外の部分の形状は、特に限定されるものではなく、例えば、クラウン部１２ｆを有さないピン型等のヘッドであっても、フェース１２ａが鉛直線Ｐに対して下方に向かうにつれ開放するよう所要のロフト角度θが形成されていればよい。
また、図３に示すように、前記ヘッド１２の底面であるソール１２ｄは、該ヘッド１２を側面から見た際に、フェース１２ａ側からストローク方向と反対に緩やかに水平面に対して切れ上がるよう形成されている。この傾斜の角度は、特に限定されるものでなく、ストロークした際に、ソール１２ｄが芝に引っ掛からない程度であればよい。
ここで、実施例に係るパターの理解に資するため、該パター１０が好適に用いられる所謂プッシュ打法について説明する。このプッシュ打法とは、ボールの後方（ストローク方向と反対側）にスタンスをとるため、視野を広くとることができ、打ち出し方向の決定が容易である。また、テイクバックをしないでボールを押し出すように打つことにより、打ち出し方向の安定性に優れたパッティング方法である。このプッシュ打法の流れは、以下の通りである。
（ｉ）先ず、カップＣとボールＢを結んだラインを探す。
（ｉｉ）次に、図４に示すように、ボールＢがカップＣ側のつま先の前（例えば、右利きのゴルファーの場合は左足）、すなわち従来のスパットＳの位置にボールＢが位置するように立つ。前記ボールＢを基準にして前記ラインと体とを平行にさせて、ボールＢから適当に離れた位置にスタンスをとる。
（ｉｉｉ）従来の打ち方でボールＢを置いていた位置である両足の略中央部にパター１０のヘッド１２をアドレスする。この時、前記パター１０のヘッド１２はライン上に位置している。アドレスをするとボールＢに対しヘッド１２はテイクバックされた状態と同様になるので、スイングにおいてヘッド１２はアドレスした位置から後方（カップと反対側）に引かれるテイクバックはされない。
（ｉｖ）この位置から、ライン上に沿ってパター１０のヘッド１２を押し出すように、肩を支点にして振り子状にスイングすることでボールＢを打つ。アドレスした位置よりヘッド１２をボールＢに向かって振れば、適切なラインに沿ってスイングすることができる。
（ｖ）このプッシュ打法において、ボールＢを転がす距離は、該ボールＢを打った後のフォロースルーの大きさで調節する。
前記パター１０を使用することにより、足の前にボールＢが位置するようスタンスをとるので、該ボールＢを基準としてラインと足を直交させると体もラインと平行になる。すなわち、スタンスをとる位置の設定も容易である。
ボールＢの後方に位置し、該ボールＢを中心に前方の視野が広くなるので、特にショートパットではカップＣの位置を視野に入れてストロークできるのでヘッドアップの心配が無くなる。スパットＳを想定する必要がないので、ストロークの際にボールＢとスパットＳの両方を意識する必要が無く、ボールＢに集中してスイングすることができる。その上、アドレスした位置からヘッド１２をボールＢに向かってスイングすることで、ラインに沿ってストロークにすることができ、自分の行なっているスイング軌道を明確に判断することが可能である。従って、スイング軌道の安定化により、ボールＢのカップインの確率が向上する。
実施例の作用
次に、実施例に係るパターの作用について説明する。前記パター１０は、前記ヘッド１２がグリップ１６よりストローク方向に位置するよう設けられているので、ストロークに際して該ヘッド１２が先行してスイングされる。これにより、このパター１０では、従来の両足の略中央に置かれていたボールＢの位置よりカップＣ側でヘッド１２をボールＢにミートするポイントが設定される。従って、ボールＢをカップＣ側の足の前に置くようにスタンスをとるプッシュ打法に好適に使用し得る。また、ヘッド１２が先行してスイングされるため、手首のコネが無くなる。
また、パッティングにおいてボールＢのインパクトの際に、前記ヘッド１２のフェース１２ａの水平線とボールＢの芯が直交的に当たることと、ボールＢに対してフェース１２ａが、垂直または若干上方に開いた角度で当接することが重要である。従来のパター１０を用いて、プッシュ打法を行なうと図１３に示すように、フェース１２ａが上方に開き過ぎてしまい、ボールＢの芯に当たらない。これに対して、実施例に係るパター１０は、図６に示すように、アドレス位置でフェース１２ａが下方に開くよう設定してあるので、アドレス位置からパター１０のヘッド１２を押し出すように肩を支点にして振り子状にスイングすると、ボールＢのインパクト位置では、フェース１２ａが略鉛直または上方に少し開いた角度となる。従って、フェース１２ａに設定されたスイートスポットでボールＢを芯が適切にインパクトすることができると共に、ボールＢはインパクトの際に回転力が加えられ、転がりが良くなる。
なお、フェース１２ａの後方が出っ張ったクラウン部１２ｆを有するマレット型の前記パター１０は、ストロークをするとクラウン部１２ｆの後方部分が芝に引っ掛かる場合がある。しかるに、本実施例に係るパター１０は、該パター１０のソール１２ｄが後方に向かって切れ上がっているので、芝に引っ掛かることがない。
変更例
図７および図８は、変更例に係るパターを示すものであって、その基本的な構成は前述した実施例と同一であるので、異なる部分についてのみ説明する。すなわち、前記パターは、フェース１２ａの背後に延出するクラウン部１２ｆをもつ、例えばマレット型のヘッド１２を備えている。前記ヘッド１２のクラウン部１２ｆの上端面は、トップ１２ｅより低く設定された、段差が設けて形成されている。前記トップ１２ｅおよびクラウン部１２ｆの上端面に、前記パター１０をアドレスした際に、ラインと該パター１０の水平線が直交するよう、ストローク方向に亘って基準線２０が設けてある。この基準線２０は、フェース１２ａに形成されるスイートスポットの位置に対応して、該フェース１２ａと隣接するトップ１２ｅに第１基準線２２が設けられ、前記クラウン部１２ｆに、前記第１基準線２２の延長線上に臨むように第２基準線２４が設けられている。また、第１基準線２２と第２基準線２４は、異なる色に着色されている。このように、高低差がある２つの上端面に両基準線２２、２４を設けたので、正しい位置にアドレスをしないと両基準線２２、２４が一直線に繋がって見えない。従って、ラインに前記基準線２０を合わせて該基準線２０を見通した時、両基準線２２，２４が一直線上に見えると、正しい位置にパター１０をアドレスをしていると判断できる。更に、各基準線２２，２４の色が異なっているので、両基準線２２，２４の繋がりの判断が明瞭になる。
【発明の効果】
以上に説明した如く、本発明に係るパターによれば、グリップより前方にヘッドが配置されているので、プッシュ打法によるストロークに際してヘッドがリードして、体の正面ストローク方向側に置かれたボールを正確に打つことができる。また、フェースが下方に開くよう設定されているので、ボールの芯と直交または上方に開いた状態でインパクトすることができ、ボールに回転力を与えて転がりをよくし得る。更に、ボールの打ち出し方向の確認および決定が容易で、テイクバックしないプッシュ打法においては、インパクトの際にボールの芯からずれることを防止し得る。このように、ゴルファーの不安の元になっていた打ち出し方向の確認および決定、またテイクバックによる打ち出し方向のズレ等の不安感を解消することで、パッティングの大きなプレッシャーの中でボールのカップインの確率を向上することができる。
また、ヘッドの異なる高さの上端面に基準線を設けたので、パターのヘッドをラインに合わせることが容易になり、更にパッティングの精度が向上すると共に、ゴルファーの方向性に対する不安感を抑制し、プレッシャーを軽減することができる。
【図１】
2004078276.tif 000003
【図２】
2004078276.tif 000004
【図３】
2004078276.tif 000005
【図４】
2004078276.tif 000006
【図５】
2004078276.tif 000007
【図６】
2004078276.tif 000008
【図７】
2004078276.tif 000009
【図８】
2004078276.tif 000010
【図９】
2004078276.tif 000011
【図１０】
2004078276.tif 000012
【図１１】
2004078276.tif 000013
【図１２】
2004078276.tif 000014
【図１３】
2004078276.tif 000015
【国際調査報告】
2004078276.tif 000016
2004078276.tif 000017
2004078276.tif 000018